(57)【要約】【課題】  正反射光下で観察角度を変化させることにより、複数の潜像画像が出現する印刷物において、潜像画像の色彩が制限されることなく、色彩豊かな潜像画像が出現する潜像印刷物を提供するものである。  【解決手段】    基材の少なくとも一部に、明暗フリップフロップ性及び／又はカラーフリップフロップ性を有し、正反射光下で第一の色彩を有する蒲鉾状の画線が複数配置されて成る凸画線群を形成し、凸画線群の上に、正反射光下で第一の色彩と異なる第二の色彩を有する第一の潜像ポジ画線が複数配置されて成る第一の潜像ポジ画像と、正反射光下で第二の色彩を有する第一の潜像ネガ画線が第一の潜像ポジ画線とは異なる位相に複数配置されて成る第一の潜像ネガ画像とから成る潜像合成画像を形成する。【選択図】  図１
2014108576.tif 000002
【特許請求の範囲】
【請求項１】
基材の少なくとも一部に、凸画線群と前記凸画線群の上に形成された潜像合成画像を有する印刷画像が形成され、前記凸画線群は、明暗フリップフロップ性及び／又はカラーフリップフロップ性を有し、正反射光下で第一の色彩を有する蒲鉾状の画線が第一の方向に第一のピッチで複数配置されて成り、前記潜像合成画像は、正反射光下で前記第一の色彩と異なる第二の色彩を有する第一の潜像ポジ画線が、前記第一の方向と同じ又は異なる第二の方向に前記第一のピッチと同じ又は異なる第二のピッチで複数配置されて第一の有意情報をポジで現した第一の潜像ポジ画像と、正反射光下で前記第二の色彩を有する第一の潜像ネガ画線が、前記第二の方向に前記第二のピッチで、かつ、前記第一の潜像ポジ画線と異なる位相に複数配置されて前記第一の有意情報をネガで現した第一の潜像ネガ画像から成り、正反射光下で観察すると、前記第一の潜像ポジ画像と前記第一の潜像ネガ画像が、互いに異なる色彩で視認でき、観察角度を変化させて正反射光下で観察すると、前記第一の潜像ポジ画像と前記第一の潜像ネガ画像の色彩が入れ替わって視認できることを特徴とする潜像印刷物。
【請求項２】
前記潜像合成画像は、更に、正反射光下で前記第二の色彩を有する第二の潜像ポジ画線、第二の潜像ネガ画線・・・、第ｎの潜像ポジ画線（ｎは二以上の整数）、第ｎの潜像ネガ画線が前記第二の方向に前記第二のピッチで、かつ、互いに異なる位相に複数配置され、複数の前記第二の潜像ポジ画線によって第二の有意情報をポジで現して成る第二の潜像ポジ画像と、複数の前記第二の潜像ネガ画線によって前記第二の有意情報をネガで現して成る第二の潜像ネガ画像と、・・・、複数の前記第ｎの潜像ポジ画線によって第ｎの有意情報をポジで現して成る第ｎの潜像ポジ画像と、複数の前記第ｎの潜像ネガ画線によって前記第ｎの有意情報をネガで現して成る第ｎの潜像ネガ画像とから成り、観察角度を変化させて正反射光下で観察すると、色彩変化を伴って前記第一の有意情報から前記第ｎの有意情報まで変化して視認できることを特徴とする請求項１記載の潜像印刷物。
【請求項３】
前記第一の方向と前記第二の方向が異なる場合、前記第一の方向と前記第二の方向の角度の差が５度以下であることを特徴とする請求項１又は２記載の潜像印刷物。
【請求項４】
前記第一のピッチと前記第二のピッチが異なる場合、前記第一のピッチを１００％として、前記第二のピッチが１００％を除く８０％以上１２０％以下のピッチであることを特徴とする請求項１乃至３のいずれか１項に記載の潜像印刷物。
【請求項５】
前記凸画線群又は前記潜像合成画像の上に、正反射光下で前記第一の色彩及び前記第二の色彩と異なる第三の色彩を有する修飾画線が、前記第一の方向と同じ又は異なる第三の方向に前記第一のピッチと同じ又は異なる第三のピッチで複数配置されて成る修飾画線群を積層して成ることを特徴とする請求項１乃至４のいずれか１項に記載の潜像印刷物。
【請求項６】
前記第一の方向と前記第三の方向が異なる場合、前記第一の方向と前記第三の方向の角度の差が５度以下であることを特徴とする請求項５記載の潜像印刷物。
【請求項７】
前記第一のピッチと前記第三のピッチが異なる場合、前記第一のピッチを１００％として、前記第三のピッチが１００％を除く８０％以上１２０％以下のピッチであることを特徴とする請求項５又は６記載の潜像印刷物。
【発明の詳細な説明】
【技術分野】
【０００１】
本発明は、偽造防止効果を必要とするセキュリティ印刷物である銀行券、パスポ−ト、有価証券、身分証明書、カ−ド及び通行券等の貴重印刷物の分野において、正反射光下で色彩豊かな潜像画像が出現する潜像印刷物に関するものである。
【背景技術】
【０００２】
近年のスキャナ、プリンタ、カラーコピー機等のデジタル機器の進展により、貴重印刷物の精巧な複製物を容易に作製することが可能となっている。そのような複製や偽造を防止するために、偽造防止技術が必要とされている。また、対面販売で偽造券を行使される場面を想定する場合、偽造防止技術の中でも、印刷物を透かして観察することで真偽判別することができる「すかし」や、印刷物を深く傾けることで真偽判別することができる「潜像模様」（例えば、特許文献１参照。）に代表されるような、道具を必要とせず、印刷物を手にした全ての人が迅速に真偽判別に利用することができる技術が特に必要とされている。
【０００３】
しかし、すかしや潜像模様は、真偽判別性自体は高いものの、その判別方法に問題がある。これらの偽造防止技術は、対面販売で偽造券が行使された場合に、真偽判別機能が働くことを期待されているものの、仮に対面販売で偽造券と疑われるような札を受け取った場合、店側は、客が眼の前にいる間に迅速に真偽判別を行う必要があるが、すかしや潜像模様は、真偽判別にあたって印刷物を光に透かしたり、印刷物を極めて深い角度に傾けて観察するといった、客側からも容易に察知される、極めて目立つ動作を必要とする。自ら渡した札が真偽判別の対象となっていると知った客は、心証を害すると容易に想像できるため、多くの場合、店側はかなりの確信がない限り、客の前ですかしや潜像模様を真偽判別に利用することは難しい。
【０００４】
そのため、これらの判別方法に問題のある偽造防止技術を補完することを目的とする技術として、正反射光下の観察において観察角度の変化に応じて画像がチェンジする、ホログラムに代表されるような光学的変化技術が存在する。これら光学的変化技術の画像のチェンジ効果は、視認性が高く判別性に優れるとともに、そのチェンジ効果を模倣するのは困難であり、それゆえ高い偽造抵抗力を備える。そして、これらの技術は、画像に光を反射させることでその効果を視認することができ、容易に真偽判別ができる。このとき、必要となる行為はわずかに印刷物を傾けるのみであり、すかしや潜像模様と異なり、極めてさりげない動きの中で客の目を引くことなく真偽判別することができる。ただし、ホログラムは、環境中の光の種類や光の入射方向によって、潜像画像の視認性が変化する場合があり、それ単独で真偽を判断することが難しい場合がある。このような場合には、環境によって視認性が大きく変化しない、すかしや潜像模様がその機能を補完する。すなわち、対面販売においては、札を一瞥して違和感を感じるようなら、目立たない動作でホログラムのような光学的変化技術を観察して簡易的な真偽判別を行い、更にその効果に疑問が生じる場合、最終確認の真偽判別としてすかしや潜像模様の真偽判別を行えば良い。
【０００５】
以上のように、すかしや潜像模様のような偽造防止技術と、ホログラムのような光学的変化技術は、それぞれが一つのセキュリティ印刷物に同時に付与されることで、真偽判別機能が相互補完的に働き、より高いセキュリティを確保することができると考えられている。
【０００６】
しかし、ホログラムは、インキを用いた印刷によって形成する従来の偽造防止技術とは異なり、複雑な製造工程と特殊な材料を用いて形成されることから、従来の偽造防止用印刷物と比較すると製造に手間がかかり、かつ、極めて高価である。このことから、ホログラムと同様な画像変化を一般的な印刷方法で実現した偽造防止用印刷物が出現している。
【０００７】
本出願人は、一般的で、かつ、比較的安価な材料及び簡単な印刷手段を使用していながら、正反射光下の特定の観察角度において、印刷物中の特定部位における人の目に認識される情報が、正反射光下で観察角度を変化させることによって、全く別の情報にチェンジしたり、動画的な視覚効果を発揮する光学的変化技術に係る発明を主既に出願している（例えば、特許文献２、特許文献３及び特許文献４参照）。
【先行技術文献】
【特許文献】
【０００８】
【特許文献１】特許第２６１５４０１号公報
【特許文献２】特許第４６８２２８３号公報
【特許文献３】特許第４８４４８９４号公報
【特許文献４】特許第４６６０７７５号公報
【発明の概要】
【発明が解決しようとする課題】
【０００９】
特許文献２から４までの技術は、優れた画像のチェンジ効果を有するものの、潜像画像は、盛り上がりを有する画線や画素が光を反射したか否かによって生じる光のコントラストによって可視化される。そのため、潜像画像の色彩は、盛り上がりを有する画線や画素が発することができる色彩に制限されるという問題があった。例えば、盛り上がりを有する画線や画素が、拡散反射光下では黒色で、正反射時に金色を発する場合、潜像画像は、黒色と金色、そしてその中間色の色彩で表現することができ、例えば、盛り上がりを有する画線や画素が、拡散反射光下では青色で、正反射時に赤色を発する場合、潜像画像は、青色と赤色、そしてその中間色の色彩で表現することができる。しかし、盛り上がりを有する画線や画素が発することができないその他の色、前者の例では、赤、緑、青系の色、後者の例では、緑、黄系の色は表現することができなかった。すなわち、いずれの技術も、正反射光下で潜像画像に生じさせうる色彩は、盛り上がりを有する画線中に含まれる機能性顔料の光学特性に依存しており、より複雑な色彩を表現することは困難であるという問題があった。
【課題を解決するための手段】
【００１０】
本発明の潜像印刷物は、基材の少なくとも一部に、凸画線群と凸画線群の上に形成された潜像合成画像を有する印刷画像が形成され、凸画線群は、明暗フリップフロップ性及び／又はカラーフリップフロップ性を有し、正反射光下で第一の色彩を有する蒲鉾状の画線が第一の方向に第一のピッチで複数配置されて成り、潜像合成画像は、正反射光下で第一の色彩と異なる第二の色彩を有する第一の潜像ポジ画線が、第一の方向と同じ又は異なる第二の方向に第一のピッチと同じ又は異なる第二のピッチで複数配置されて第一の有意情報をポジで現した第一の潜像ポジ画像と、正反射光下で第二の色彩を有する第一の潜像ネガ画線が、第二の方向に第二のピッチで、かつ、第一の潜像ポジ画線と異なる位相に複数配置されて第一の有意情報をネガで現した第一の潜像ネガ画像から成り、正反射光下で観察すると、第一の潜像ポジ画像と第一の潜像ネガ画像が、互いに異なる色彩で視認でき、観察角度を変化させて正反射光下で観察すると、第一の潜像ポジ画像と第一の潜像ネガ画像の色彩が入れ替わって視認することができることを特徴とする。
【００１１】
また、本発明の潜像印刷物は、潜像合成画像は、更に、正反射光下で第二の色彩を有する第二の潜像ポジ画線、第二の潜像ネガ画線・・・、第ｎの潜像ポジ画線（ｎは二以上の整数）、第ｎの潜像ネガ画線が第二の方向に第二のピッチで、かつ、互いに異なる位相に複数配置され、複数の第二の潜像ポジ画線によって第二の有意情報をポジで現して成る第二の潜像ポジ画像と、複数の第二の潜像ネガ画線によって第二の有意情報をネガで現して成る第二の潜像ネガ画像と、・・・、複数の第ｎの潜像ポジ画線によって第ｎの有意情報をポジで現して成る第ｎの潜像ポジ画像と、複数の第ｎの潜像ネガ画線によって第ｎの有意情報をネガで現して成る第ｎの潜像ネガ画像とから成り、観察角度を変化させて正反射光下で観察すると、色彩変化を伴って第一の有意情報から第ｎの有意情報まで変化して視認することができることを特徴とする。
【００１２】
また、本発明の潜像印刷物は、第一の方向と第二の方向が異なる場合、第一の方向と第二の方向の角度の差が５度以下であることを特徴とする。
【００１３】
また、本発明の潜像印刷物は、第一のピッチと第二のピッチが異なる場合、第一のピッチを１００％として、第二のピッチが１００％を除く８０％以上１２０％以下のピッチであることを特徴とする。
【００１４】
また、本発明の潜像印刷物は、凸画線群又は潜像合成画像の上に、正反射光下で第一の色彩及び第二の色彩と異なる第三の色彩を有する修飾画線が、第一の方向と同じ又は異なる第三の方向に第一のピッチと同じ又は異なる第三のピッチで複数配置されて成る修飾画線群を積層して成ることを特徴とする。
【００１５】
また、本発明の潜像印刷物は、第一の方向と第三の方向が異なる場合、第一の方向と第三の方向の角度の差が５度以下であることを特徴とする。
【００１６】
また、本発明の潜像印刷物は、第一のピッチと第三のピッチが異なる場合、第一のピッチを１００％として、第三のピッチが１００％を除く８０％以上１２０％以下のピッチであることを特徴とする。
【発明の効果】
【００１７】
本発明の潜像印刷物では、正反射光下で出現する潜像画像に、従来技術では不可能であった複雑な色彩を付与することができる。また、専用の作製装置や機械を必要とせず、既存の印刷機を用いることで作製可能であり、コストパフォーマンスが高い。
【００１８】
本発明の潜像印刷物では、わずかに傾けて光を正反射させるだけで、視認性の高い潜像画像が出現する。この動作は目立つことがないため、他人に悟られることなく、真偽判別を行うことができる。
【００１９】
また、本発明の潜像印刷物は、最新のデジタル機器を用いたとしても色彩変化の再現は不可能であることから、偽造防止効果に優れる。
【図面の簡単な説明】
【００２０】
【図１】本発明における潜像印刷物を示す。
【図２】潜像印刷物に形成される印刷画像の構成を示す。
【図３】本発明における凸画像群を示す。
【図４】本発明における潜像合成画像を示す。
【図５】本発明における凸画像群と潜像合成画像の重ね合わせを示す。
【図６】本発明における潜像印刷物を正反射光下で角度を変えて観察した場合に、観察者に視認される画像を示す。
【図７】本発明における潜像印刷物を示す。
【図８】潜像印刷物に形成される印刷画像の構成を示す。
【図９】本発明における修飾画線群を示す。
【図１０】本発明における凸画像群、潜像合成画像及び修飾画線群の重ね合わせを示す。
【図１１】本発明における潜像印刷物を正反射光下で角度を変えて観察した場合に、観察者に視認される画像を示す。
【図１２】本発明における潜像印刷物を示す。
【図１３】潜像印刷物に形成される印刷画像の構成を示す。
【図１４】本発明における第一の潜像画像を示す。
【図１５】本発明における第二の潜像画像を示す。
【図１６】本発明における潜像合成画像を示す。
【図１７】本発明における凸画像群と潜像合成画像の重ね合わせを示す。
【図１８】本発明における潜像印刷物を正反射光下で角度を変えて観察した場合に、観察者に視認される画像を示す。
【図１９】本発明における潜像印刷物を示す。
【図２０】潜像印刷物に形成される印刷画像の構成を示す。
【図２１】本発明における凸画像群を示す。
【図２２】本発明における潜像合成画像を示す。
【図２３】本発明における凸画像群と潜像合成画像の重ね合わせを示す。
【図２４】本発明における潜像印刷物を正反射光下で角度を変えて観察した場合に、観察者に視認される画像を示す。
【発明を実施するための形態】
【００２１】
（第一の実施の形態）
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００２２】
図１に、本発明における潜像印刷物（１）を示す。図１（ａ）に示すのは、潜像印刷物（１）の正面図であり、図１（ｂ）に示すのは、潜像印刷物（１）のＡＡ´ラインにおける断面図である。潜像印刷物（１）は、基材（２）の上に、印刷画像（３）が形成されてなる。基材（２）は、印刷画像（３）を形成することができれば、紙であってもプラスティックであっても、金属等であってもよく、その材質は問わない。印刷画像（３）は、透明であっても半透明であっても着色されていても良く、色彩の制約はない。また、印刷画像（３）が基材（２）に収まる限り、その大きさにも制限はない。なお、図１（ａ）の印刷画像（３）中には「ＮＰＢ」の文字が視認されているが、説明の便宜上、可視化させているのであって、実際に作製した潜像印刷物（１）は、拡散反射光下で「ＮＰＢ」の文字は不可視である。
【００２３】
本発明の印刷画像（３）の構成の概要を図２に示す。印刷画像（３）は、凸画線群（４）の上に、潜像合成画像（５）が重ね合さってなる。潜像合成画像（５）は、第一の有意情報をポジで表した第一の潜像ポジ画像（６Ｐ）と、第一の有意情報をネガで表した第一の潜像ネガ画像（６Ｎ）とを備える。なお、第一の実施の形態では、第一の有意情報がアルファベットの「ＮＰＢ」の文字の例で説明するが、本発明において第一の有意情報は、「ＮＰＢ」の文字に限定されるものではなく、他の文字で形成されても良いし、数字、記号、図形、図柄、マーク及び模様のいずれか又はその組み合わせで形成されても良い。
【００２４】
図３に凸画線群（４）を示す。凸画線群（４）は、明暗フリップフロップ性及び／又はカラーフリップフロップ性を有し、蒲鉾状の盛り上がりを有する、画線幅Ｗ１の画線（７）が第一のピッチＰ１で第一の方向（図中Ｓ１方向）に複数配置されて成る。図４に潜像合成画像（５）を示す。潜像合成画像（５）は、第一の潜像ポジ画像（６Ｐ）と第一の潜像ネガ画像（６Ｎ）から成る。第一の潜像ポジ画像（６Ｐ）は、画線幅Ｗ２の第一の潜像ポジ画線（８Ｐ）が第二のピッチＰ２で第二の方向（図中Ｓ２方向）に複数配置されて成り、第一の潜像ネガ画像（６Ｎ）は、画線幅Ｗ２の第一の潜像ネガ画線（８Ｎ）が第二のピッチＰ２で第二の方向（図中Ｓ２方向）に複数配置されて成る。第一の潜像ポジ画線（８Ｐ）と第一の潜像ネガ画線（８Ｎ）とは同じ画線幅で、かつ、同じピッチＰ２で構成される必要があり、加えて第一の潜像ポジ画線（８Ｐ）と第一の潜像ネガ画線（８Ｎ）とは第二の方向に位相がずれている必要がある。
【００２５】
なお、第一のピッチＰ１と第二のピッチＰ２は同じであっても良いし、異なっていても良く、第一の方向と第二の方向は同じであっても良いし、異なっていても良い。ただし、第二のピッチＰ２は、第一のピッチＰ１の大きさの８０％から１２０％の大きさであり、第一の方向と第二の方向の角度差は、５度以内に留めることが色彩変化を効果的に見せる上で望ましい。なお、第一の実施の形態では、第１のピッチＰ１と第２のピッチＰ２とが同じ値であり、第一の方向と第二の方向が同じ方向である例について説明する。また、第一の実施の形態における第一の潜像ポジ画線（８Ｐ）と第一の潜像ネガ画線（８Ｎ）との第二の方向への位相のずれは、第１のピッチＰ１の半分である、すなわち、第１のピッチＰ１の２分の１としているが、位相のずれは、特に限定されるものではない。  
【００２６】
なお、本発明における「明暗フリップフロップ性」とは、物質に光が入射した場合に、物質の明度のみが変化する性質を指し、「カラーフリップフロップ性」とは、物質に光が入射した場合に、物質の色相が変わる性質を指す。「明暗フリップフロップ性」を備えた印刷で用いるインキとしては、金色や銀色等のメタリック系の金属インキや、グロスタイプの着色インキがある。一般的に艶があると感じられる物質は、「明暗フリップフロップ性」を備える。例えば、銀インキは、光を強く反射しない拡散反射光下では、暗い灰色にしか見えないが、光を強く反射する正反射光下では、より淡い灰色か、又は白色に見える。このように、「明暗フリップフロップ性」を有するインキは、正反射光下で明度のみが変化する。
【００２７】
一方の「カラーフリップフロップ性」を備えた印刷で用いるインキとしては、パールインキ、液晶インキ、ＯＶＩ及びＣＳＩ（Ｃｏｌｏｒ  Ｓｈｉｆｔｉｎｇ  Ｉｎｋ）等が存在する。多くのインキは物体色を有するが、虹彩色パールインキは無色透明である。例えば、赤色の虹彩色パールインキは、拡散反射光下では無色透明せあるが、正反射光下では赤色の干渉色を発する。このように、「カラーフリップフロップ性」を備えたインキは、正反射光下で色相が変化する。
【００２８】
なお、本発明における「色彩」とは、色相、彩度及び明度の概念を含んで色を表したものであり、また、「色相」とは、赤、青及び黄といった色の様相のことであり、具体的には、可視光領域（４００〜７００ｎｍ）の特定の波長の強弱の分布を示すものである。  
【００２９】
蒲鉾状の画線（７）は、正反射光下で第一の色彩で視認される必要がある。第一の潜像ポジ画線（８Ｐ）及び第一の潜像ネガ画線（８Ｎ）は、拡散反射光下では同じ色彩であって、正反射光下では第一の色彩と異なる第二の色彩でそれぞれが視認される必要がある。蒲鉾状の画線（７）、第一の潜像ポジ画線（８Ｐ）及び第一の潜像ネガ画線（８Ｎ）の拡散反射光下の色彩については特に問わず、いかなる色彩でも良い。なお、第一の潜像ポジ画線（８Ｐ）及び第一の潜像ネガ画線（８Ｎ）については、一般的な着色インキで形成することもでき、この場合には、拡散反射光下の色彩と正反射光下の色彩が同じとなるが、重要なのは正反射光下で第一の色彩と異なる色彩を呈することであって、拡散反射光下の色彩は、本発明の潜像印刷物（１）においては付加的要素である。
【００３０】
図５に凸画線群（４）と潜像合成画像（５）の重なり合いの位置関係の詳細を示す。凸画線群（４）を構成する蒲鉾状の画線（７）の上に、潜像合成画像（５）を構成する第一の潜像ポジ画線（８Ｐ）と第一の潜像ネガ画線（８Ｎ）が配置されてなる。蒲鉾状の画線（７）上で潜像ポジ画線（８Ｐ）と潜像ネガ画線（８Ｎ）は、第二の方向に位相がずれている必要があるが、第一のピッチＰ１と第二のピッチＰ２が同じ値の場合、最も望ましい位置関係は、蒲鉾状の画線（７）の盛り上がりの頂点を境とした片側の表面に第一の潜像ポジ画線（８Ｐ）が重なり、蒲鉾状の画線（７）の盛り上がりの頂点を境としたもう一方の片側の表面に第一の潜像ネガ画線（８Ｎ）が重なる関係である。ここでは、図５の側面拡大図に示すように、蒲鉾状の画線（７）の盛り上がりの頂点を境としてＡ´側の表面に、第一の潜像ポジ画線（８Ｐ）が重なり、蒲鉾状の画線（７）の盛り上がりの頂点を境としてＡ側の表面に、第一の潜像ネガ画線（８Ｎ）が重なってなる構成について説明する。
【００３１】
以上の構成で形成した潜像印刷物（１）の効果を図６に示す。この効果の説明では、潜像印刷物（１）の蒲鉾状の画線（７）を緑色の干渉色を発する虹彩色パール顔料を含有した透明なパールインキで形成し、第一の潜像ポジ画線（８Ｐ）と第一の潜像ネガ画線（８Ｎ）を赤色の物体色の着色インキで形成した例で説明する。印刷画像（３）が光を正反射しない、いわゆる、拡散反射光が支配的な観察環境で印刷画像（３）を観察した場合、印刷画像（３）中に第一の有意情報は視認されず、潜像合成画像（５）を形成した着色インキの赤色で印刷画像（３）は視認することができる（図示せず）。図６（ａ）に示すように、潜像印刷物（１）のＡ´側にある光源（９ａ）から光が入射し、潜像印刷物（１）から生じる正反射光を観察者（１０ａ）が観察した場合、黄緑色に見える印刷画像（３）の中に、第一の有意情報である「ＮＰＢ」の文字を赤色で視認することができる。また、図６（ｂ）に示すように、潜像印刷物（１）の直上に光源（９ｂ）が移動し、潜像印刷物（１）から生じる正反射光を観察者（１０ｂ）が観察した場合、極めて狭い観察角度の範囲ではあるが、第一の有意情報である「ＮＰＢ」の文字が消失し、印刷画像（３）全体が緑色と赤色の中間色である、黄色で視認することができる。続いて、図６（ｃ）に示すように、潜像印刷物（１）のＡ側に光源（９ｃ）が移動し、潜像印刷物（１）から生じる正反射光を観察者（１０ｃ）が観察した場合、赤色に見える印刷画像（３）の中に、第一の有意情報である「ＮＰＢ」の文字を黄緑色で視認することができる。
【００３２】
本明細書における効果の図は、効果を把握しやすいように潜像印刷物（１）と光源（９）の角度をデフォルメして記載しているが、実際の図６（ａ）から図６（ｃ）の角度の差は、大きくとも１０度以下であり、実際には、ある光源（９）から入射する光に対して、潜像印刷物（１）の角度をわずかに変えるだけで、上記の図６（ａ）から図６（ｃ）までの効果が生じる。以上のように、正反射光下で印刷画像（３）を観察した場合には、盛り上がりのある蒲鉾状の画線（７）が有する第一の色彩だけでなく、潜像ポジ画像（６Ｐ）と潜像ネガ画像（６Ｎ）が有する第二の色彩が加わって潜像ポジ画像（６Ｐ）と潜像ネガ画像（６Ｎ）を視認することができ、従来技術の潜像画像と比べて色彩表現が豊かである。また、以上のように、正反射光下で印刷画像（３）を観察した場合には、拡散反射光下では不可視だった第一の有意情報が出現し、かつ、正反射光下のわずかな観察角度の変化で、「ＮＰＢ」の文字と背景の色相が反転して観察される。以上のように、印刷物をわずかに傾けるといった、極めて小さな動作によって印刷画像（３）の中に視認性の高い変化を観察することができるという特徴を有する。
【００３３】
以上のような効果が生じる原理について説明する。まず、拡散反射光下では、蒲鉾状の画線（７）は透明であり不可視である。また、第一の潜像ポジ画線（８Ｐ）と第一の潜像ネガ画線（８Ｎ）は、物体色を有しているものの、二つの画線が対となることで互いの濃淡を打ち消しあうため、第一の有意情報が隠蔽され、印刷画像（３）は、階調のないフラットな画像として視認される。なお、拡散反射光下の印刷画像（３）の色彩は、蒲鉾状の画線（７）の物体色と、第一の潜像ポジ画線（８Ｐ）と第一の潜像ネガ画線（８Ｎ）の物体色の減法混色による合成色となる。第一の実施の形態において、蒲鉾状の画線（７）の物体色は透明であり、第一の潜像ポジ画線（８Ｐ）と第一の潜像ネガ画線（８Ｎ）の物体色は赤色であり、その合成色は赤色であるため、拡散反射光下において、印刷画像（３）は赤色で視認される。
【００３４】
続いて、正反射光下での原理について説明する。正反射光下で、図６（ａ）に示すようにＡ´側から光が入射した場合、盛り上がりを有する蒲鉾状の画線（７）の画線表面うち、入射光と法線を成す側の画線表面である、すなわち、蒲鉾状の画線（７）の盛り上がりの頂点からＡ´側の画線表面が光を強く正反射し、その他の蒲鉾状の画線（７）の画線表面は光を正反射しない。蒲鉾状の画線（７）のＡ´側の画線表面上には、第一の潜像ポジ画線（８Ｐ）が重ねられた部分と、第一の潜像ポジ画線（８Ｐ）が重ねられていない部分があり、第一の潜像ポジ画線（８Ｐ）が重ねられた部分は、第一の潜像ポジ画線（８Ｐ）に入射光を遮られて、その下にある蒲鉾状の画線（７）が強く光を反射できず、第一の潜像ポジ画線（８Ｐ）と第一の潜像ネガ画線（８Ｎ）の正反射時の色彩である、第二の色彩、すなわち、赤色が支配的となり、第一の潜像ポジ画線（８Ｐ）が重ねられていない部分は、蒲鉾状の画線（７）に入射光が達して、蒲鉾状の画線（７）が強く光を反射して、第一の色彩である、すなわち、強い緑色の干渉色が支配的となる。一方、蒲鉾状の画線（７）の画線表面のうち、盛り上がりの頂点からＡ側の画線表面は、光を正反射できずに、印刷画像（３）の拡散反射光下の色彩である、すなわち、赤色から変化しない。以上のことから、図６（ａ）に示すようにＡ´側から光が入射した場合、蒲鉾状の画線（７）の画線表面のうち、盛り上がりの頂点からＡ側の画線表面は、赤色で視認され、盛り上がりの頂点からＡ´側の画線表面のうち、第一の潜像ポジ画線（８Ｐ）が重ねられた部分は、赤色で視認され、盛り上がりの頂点からＡ´側の画線表面のうち、第一の潜像ポジ画線（８Ｐ）が重ねられていない部分は、緑色で視認される。よって、第一の潜像ポジ画線（８Ｐ）が表す第一の有意情報は、赤色で視認され、その他の印刷画像（３）は、蒲鉾状の画線（７）の正反射時の色彩である強い緑色と、印刷画像（３）の拡散反射光下の色彩である赤色とが混ざった合成色である、黄緑色で視認される。
【００３５】
正反射光下で、図６（ｂ）に示すように印刷画像（３）の直上から光が入射した場合、蒲鉾状の画線（７）の画線表面うち、蒲鉾状の画線（７）の盛り上がりの頂点を中心に光を強く正反射するが、この領域には第一の潜像ポジ画線（８Ｐ）と第一の潜像ネガ画線（８Ｎ）が同じ割合で存在しているため、第一の有意情報は可視化されない。この場合の印刷画像（３）の色彩は、蒲鉾状の画線（７）の正反射時の色彩である強い緑色と、印刷画像（３）の拡散反射光下の色彩である赤色が混ざった合成色で視認される。この場合、図６（ａ）や図６（ｃ）に示した場合に生じる合成色よりも、やや赤味が強くなるため、黄色で視認される。
【００３６】
正反射光下で、図６（ｃ）に示すようにＡ側から光が入射した場合、蒲鉾状の画線（７）の画線表面うち、入射光と法線を成す側の画線表面である、すなわち、蒲鉾状の画線（７）の盛り上がりの頂点からＡ側の画線表面が光を強く正反射し、その他の画線表面は光を正反射しない。蒲鉾状の画線（７）のＡ側の画線表面上には、第一の潜像ネガ画線（８Ｎ）が重ねられた部分と、第一の潜像ネガ画線（８Ｎ）が重ねられていない部分があり、第一の潜像ネガ画線（８Ｎ）が重ねられた部分は、その下にある蒲鉾状の画線（７）が強く光を反射できず、第一の潜像ポジ画線（８Ｐ）と第一の潜像ネガ画線（８Ｎ）の正反射時の色彩である、第二の色彩、すなわち、赤色が支配的となり、第一の潜像ネガ画線（８Ｎ）が重ねられていない部分は、蒲鉾状の画線（７）が強く光を反射して、第一の色彩である、すなわち、強い緑色の干渉色が支配的となる。一方、蒲鉾状の画線（７）の画線表面のうち、盛り上がりの頂点からＡ´側の画線表面は、光を正反射することができずに、印刷画像（３）の拡散反射光下の色彩である、すなわち、赤色から変化しない。以上のことから、図６（ｃ）に示すようにＡ側から光が入射した場合、蒲鉾状の画線（７）の画線表面のうち、盛り上がりの頂点からＡ´側の画線表面は、赤色で視認され、盛り上がりの頂点からＡ側の画線表面のうち、第一の潜像ネガ画線（８Ｎ）が重ねられた部分は、赤色で視認され、盛り上がりの頂点からＡ側の画線表面のうち、第一の潜像ネガ画線（８Ｎ）が重ねられていない部分は、緑色で視認される。よって、第一の潜像ネガ画線（８Ｎ）が表す第一の有意情報は赤色で視認され、その他の印刷画像（３）は、蒲鉾状の画線（７）の正反射時の色彩である強い緑色と、印刷画像（３）の拡散反射光下の色彩である赤色とが混ざった合成色である、黄緑色で視認される。  
【００３７】
以上が、本発明の潜像印刷物（１）において、拡散反射光下では第一の有意情報が不可視であり、正反射光下で観察することで印刷画像（３）中に色彩豊かな第一の有意情報が出現し、また、光源（９）から入射する光の角度の位置が変わることで、第一の有意情報の色彩が反転する原理である。
【００３８】
第一の有意情報の色彩を大きく変化させるために、第一の色彩と第二の色彩は、補色か、それに近い関係であることが望ましい。印刷画像（３）中に現れる色彩は、第一の色彩と第二の色彩を合成した色彩に限定されるが、観察角度によって第一の色彩が強い領域や第二の色彩が強い領域、第一の色彩と第二の色彩の中間色となる領域等が存在し、また角度を変化させることでその色彩は微妙に変化する。そのため、潜像印刷物（１）の印刷画像（３）中には、第一の色彩から第二の色彩までの微妙に異なった色彩を観察することができる。
【００３９】
また、第一の実施の形態で説明した例において、第一のピッチＰ１と第二のピッチＰ２を等しい値としたが、第一のピッチＰ１と第二のピッチＰ２の関係は、等しい値に限定されるものではなく、異なっていても良い。また、第一の方向（Ｓ１）と第二の方向（Ｓ２）も同様に、等しい方向でなくとも良い。第一のピッチＰ１と第二のピッチＰ２がわずかに異なっている場合、又は第一の方向（Ｓ１）と第二の方向（Ｓ２）がわずかに異なっている場合、印刷画像中には、各蒲鉾状の画線（７）上の各第一の潜像ポジ画線（８Ｐ）と各第一の潜像ネガ画線（８Ｎ）の位置関係が、それぞれの蒲鉾状の画線（７）上で微妙にズレることによって、干渉縞（モアレ）が発生し、部分的な干渉の強弱によって、第一の色彩から第二の色彩までの微妙に色彩の異なったグラデーションが生じるため、色彩表現を優先したい場合にはより好ましい構成であるといえる。また、干渉によって生じる干渉縞は、潜像印刷物（１）の傾きを変化させることで、その色彩が動いているように見える。干渉縞の動きを小さくするには、第一のピッチＰ１と第二のピッチＰ２を離れた値とすればよい。ただし、第一のピッチＰ１と第二のピッチＰ２が離れすぎた値となると、干渉縞はほとんど動いて見えなくなるため、第一のピッチの大きさを１００％とすると、第二のピッチの大きさは８０％から１２０％とすることが望ましい。また、第一の有意情報の色彩変化を効果的に見せるために第一の方向と第二の方向との角度差は、５度以内とすることが望ましい。
【００４０】
第一の実施の形態では、正反射光下で印刷画像（３）中に生じる緑と赤の色彩の付与を、緑色の干渉色を発するパールインキと赤色の着色インキを用いて実現したが、同じ効果は、赤色の干渉色を発するパールインキと緑色の着色インキを用いても同様に実現することができる。また、本発明の効果は、この色彩に限定されるものではなく、紫から黄や、青から橙等、様々な色彩変化を実現することができる。また、正反射光下で生じる色彩は、二つの色彩とその中間色に限定されるものではなく、三つ以上の色彩を表現することもできる。三つの色彩を表現する例については、第二の実施の形態で具体的に説明する。
【００４１】
従来の技術において、正反射光下で見える色彩の全ては、蒲鉾状の画線（７）の色彩に由来するものであり、本発明でいう第一の色彩と第二の色彩は、蒲鉾状の画線（７）が発する必要があった。このことは、蒲鉾状の画線（７）に極めて変化に富んだ光学特性を要求することとなり、蒲鉾状の画線（７）のインキ設計には、機能性顔料に対する深い知見が必要であり、しかもそのような知見に基づいて設計したとしても、機能性顔料のみで表現可能な色彩は限定されるために、満足のいく色彩表現を実現することができるとは限らなかった。しかし、本発明の潜像印刷物（１）において正反射光下で見える複数の色彩の一つは、蒲鉾状の画線（７）由来の第一の色彩であり、もう一つは、第一の潜像ポジ画線（８Ｐ）と第一の潜像ネガ画線（８Ｎ）由来の第二の色彩である。蒲鉾状の画線（７）が正反射光下の全ての色彩を発する必要はなくなり、少なくとも一種類の色彩を正反射光下で発すればよい。第二の色彩は単なる着色インキを使用しても良く、色彩を自由に選択できることから正反射光下の色彩表現の範囲は格段に向上し、かつ、蒲鉾状の画線（７）を構成するインキの設計難易度を飛躍的に下げることに成功した。これは、発明における優れた効果のひとつである。  
【００４２】
本発明における凸画線群（４）の蒲鉾状の画線（７）には、盛り上がり高さが必須であることから、印刷画線に盛り上がりを形成可能な印刷方式で印刷することが望ましい。すなわち、フレキソ印刷、グラビア印刷、凹版印刷及びスクリ−ン印刷等で形成してもよい。また、インクジェットプリンタによって、ＵＶインクを複数回吐き出しすることで、盛り上がりを形成しても良い。容易に視認することができる程度の視認性を確保するためには、蒲鉾状の画線（７）の盛り上がり高さを２μｍ以上とする必要がある。盛り上がり高さの上限は特にないが、堅ろう性や流通適性を考慮すると１ｍｍ以下に留めることが望ましい。また、実施の形態のように、印刷で直接画線の盛り上がりを有する画線を形成するのではなく、エンボス加工や透き入れによって基材上に凹凸構造を形成して、その上に印刷被膜を形成したり、薄膜フィルムを貼付してカラーフリップフロップ性を有する凸画線群（４）としてもよい。また、レンチキュラーレンズシートも盛り上がりと正反射光下での明暗フリップフロップ性を有するため、レンチキュラーレンズシートを基材（２）に貼り合わせて、本発明の凸画線群（４）としても良い。
【００４３】
本発明における潜像合成画像（５）は、特に盛り上がりは必須ではなく、平坦な構造でよい。すなわち、オフセット印刷、凸版印刷、フレキソ印刷、グラビア印刷、凹版印刷及びスクリ−ン印刷等で形成してもよい。第一の潜像ポジ画線（８Ｐ）及び第一の潜像ネガ画線（８Ｎ）については、正反射光下で第二の色彩として視認される構成を必須とするが、この条件を満たすインキは、物体色を有する一般的な着色インキ及びメタリックインキ等、あらゆるインキまでが含まれるため、色彩選択の自由度は極めて高い。なお、第一の潜像ポジ画線（８Ｐ）及び第一の潜像ネガ画線（８Ｎ）には、蒲鉾状の画線（７）のような明暗フリップフロップ性やカラーフリップフロップ性は必須ではないが、これらの性質を備えていた場合の方が、生じさせる色彩変化の幅は広くなる。特に蒲鉾状の画線（７）と、第一の潜像ポジ画線（８Ｐ）及び第一の潜像ネガ画線（８Ｎ）に異なる干渉色の虹彩色パールインキを用いて潜像印刷物（１）を構成した場合、拡散反射光下では、透明にしか見えなかった印刷画像（３）が、正反射光下で複数の色相で彩られるため、観察者にとってインパクトが強く、真偽判別性や偽造抵抗力により優れた構成となる。
【００４４】
なお、本明細書中でいう正反射とは、物質にある入射角度で光が入射した場合に、入射した光の角度と略等しい角度に強い反射光が生じる現象を指し、拡散反射とは、物質にある入射角度で光が入射した場合に、入射した光の角度と異なる角度に弱い反射光が生じる現象を指す。例えば、虹彩色パールインキを例とすると、拡散反射の状態では無色透明に見えるが、正反射した状態では特定の干渉色を発する。正反射光下で観察するとは、印刷物に入射した光の角度と略等しい反射角度に視点をおいて観察する状態を指し、拡散反射光下で観察するとは、印刷物に入射した光の角度と大きく異なる角度で観察する状態を指す。
【００４５】
（第二の実施の形態）
第二の実施の形態では、正反射光下において観察角度の変化に応じて印刷画像（３´）中に３種類の異なる色彩が生じる構成について説明する。この構成では、凸画線群（４´）の上に潜像合成画像（５´）と修飾画線群（１１´）を重ね合わせて形成する。
【００４６】
図７に、本発明における潜像印刷物（１´）を示す。図７（ａ）に示すのは、潜像印刷物（１´）の正面図であり、図７（ｂ）に示すのは、潜像印刷物（１´）のＡＡ´ラインにおける断面図である。潜像印刷物（１´）は、基材（２´）の上に、印刷画像（３´）が形成されてなる。基材（２´）は、第一の実施の形態と同様に、印刷画像（３´）を形成することができれば、紙であっても、プラスティックであっても、金属等であってもよく、その材質、色彩及び大きさは問わない。また、図７（ａ）の印刷画像（３´）中には「ＮＰＢ」の文字が視認される状態としているが、説明の便宜上、可視化させているのであって、実際に作製した潜像印刷物（１´）は、拡散反射光下で「ＮＰＢ」の文字は不可視である。
【００４７】
本発明の印刷画像（３´）の構成の概要を図８に示す。印刷画像（３´）は、凸画線群（４´）の上に、潜像合成画像（５´）と修飾画線群（１１´）が重ね合さってなる。潜像合成画像（５´）と修飾画線群（１１´）の上下関係は、いずれが上になり、いずれが下になっても問題ない。潜像合成画像（５´）は、第一の有意情報をポジで表した第一の潜像ポジ画像（６Ｐ´）と、第一の有意情報をネガで表した第一の潜像ネガ画像（６Ｎ´）とを備える。なお、第二の実施の形態においても、第一の有意情報の限定はないが、第一の有意情報がアルファベットの「ＮＰＢ」の文字の例で説明する。
【００４８】
凸画線群（４´）及び潜像合成画像（５´）の構成は、第一の実施の形態の説明において、図３及び図４に示した構造や要求される性能が同一であることから、説明を省略する。図９に修飾画線群（１１´）の構成を示す。修飾画線群（１１´）は、正反射光下において、第一の色彩及び第二の色彩とは異なる第三の色彩を有する画線幅Ｗ３の修飾画線（１２´）が第三のピッチＰ３で第三の方向（図中Ｓ３方向）に複数配置されてなる。
【００４９】
なお、第三のピッチＰ３は、第一のピッチＰ１及び第二のピッチＰ２と同じであっても良いし、異なっていても良く、第三の方向（Ｓ３）は、第一の方向（Ｓ１）及び第二の方向（Ｓ２）と同じであっても良いし、異なっていても良い。ただし、第三のピッチＰ３は、第二のピッチＰ２と同様に、第一のピッチＰ１の大きさの８０％から１２０％の大きさで、第一の方向（Ｓ１）と第三の方向（Ｓ２）の角度差は、５°以内に留めることが色彩変化を効果的に見せる上で望ましい。なお、第二の実施の形態では、ピッチＰ１とピッチＰ２とが同じ値であり、ピッチＰ３のみがその他のピッチと異なり、第一の方向（Ｓ１）、第二の方向（Ｓ２）及び第三の方向（Ｓ３）が全て同じ方向である例について説明する。また、第二の実施の形態における潜像ポジ画線（８Ｐ´）と潜像ネガ画線（８Ｎ´）との第二の方向（Ｓ２）への位相のずれは、第一の実施の形態と同様に第１のピッチＰ１の半分である、すなわち、第１のピッチＰ１の２分の１である。
【００５０】
図１０に凸画線群（４´）、潜像合成画像（５´）及び修飾画線群（１１´）の重なり合いの位置関係の詳細を示す。図１０に示す側面拡大図は、凸画線群（４´）を構成する蒲鉾状の画線（７´）の上に、潜像合成画像（５´）を構成する第一の潜像ポジ画線（８Ｐ´）と第一の潜像ネガ画線（８Ｎ´）が配置されて、その上に修飾画線群（１１´）を構成する修飾画線（１２´）が重なりあってなる構成を示している。ここでは、修飾画線（１２´）は、潜像合成画像（５´）を構成する潜像ポジ画線（８Ｐ´）と潜像ネガ画線（８Ｎ´）の上に重なった例について説明するが、本発明の第二の実施の形態の潜像印刷物（１´）は、修飾画線（１２´）の上に潜像合成画像（５´）を構成する潜像ポジ画線（８Ｐ´）と潜像ネガ画線（８Ｎ´）が重なった構成でもよい。  
【００５１】
蒲鉾状の画線（７´）と、第一の潜像ポジ画線（８Ｐ´）及び第一の潜像ネガ画線（８Ｎ´）の重なり合いの位置関係は、第一の実施の形態で説明した構成と同じである。第二の実施の形態の例で説明する修飾画線群（１１´）における各修飾画線（１２´）のピッチＰ３は、ピッチＰ１及びピッチＰ２とは異なっていることから、蒲鉾状の画線（７´）と第一の潜像ポジ画線（８Ｐ´）及び第一の潜像ネガ画線（８Ｎ´）に対するそれぞれの修飾画線（１２´）の位置は、画線ごとに異なっており、ある部分では蒲鉾状の画線（７´）の中心に重なり、ある部分では中心から外れて重なったりする。また、第一の方向、第二の方向及び第三の方向のうち、いずれか一つの方向が異なる場合も、蒲鉾状の画線（７´）と第一の潜像ポジ画線（８Ｐ´）及び第一の潜像ネガ画線（８Ｎ´）に対するそれぞれの修飾画線（１２´）の配置は、画線ごとに異なって重なる。このように、修飾画線（１２´）が蒲鉾状の画線（７´）ごとに異なる位置に重なることによって、蒲鉾状の画線（７´）と修飾画線（１２´）によってモアレが生じて見える。なお、正反射光下で視認される画像の詳細については後述する。
【００５２】
一方、第一の方向、第二の方向及び第三の方向が同じであり、かつ、第３のピッチＰ３、第１のピッチＰ１及び第２のピッチＰ２が同一である場合には、修飾画線（１２´）が第一の潜像ポジ画線（８Ｐ´）及び／又は第一の潜像ネガ画線（８Ｎ´）の一部に重なり、第一の潜像ポジ画線（８Ｐ´）と第一の潜像ネガ画線（８Ｎ´）を完全に被覆した状態で重ならないように配置する。これは、修飾画線（１２´）が第一の潜像ポジ画線（８Ｐ´）及び第一の潜像ネガ画線（８Ｎ´）を完全に被覆してしまうと、被覆した第一の潜像ポジ画線（８Ｐ´）や第一の潜像ネガ画線（８Ｎ´）が可視化されず、潜像画像を観察することができなくなるためである。
【００５３】
以上の構成で形成した潜像印刷物（１´）の効果を図１１に示す。この効果の説明では、潜像印刷物（１´）の蒲鉾状の画線（７´）を緑色の干渉色を発する虹彩色パール顔料を含有した透明なパールインキで形成し、第一の潜像ポジ画線（８Ｐ´）と第一の潜像ネガ画線（８Ｎ´）を赤色の物体色の着色インキで形成し、修飾画線（１２´）を銀色で形成した例で説明する。印刷画像（３´）が光を正反射しない、いわゆる、拡散反射光が支配的な観察環境で印刷画像（３´）を観察した場合、印刷画像（３´）中に第一の有意情報は視認されず、潜像合成画像（５´）を形成した着色インキの赤色と灰色（銀色の拡散反射光下の色彩）の合成色である暗い桃色として印刷画像（３´）が視認される（図示せず）。図１１（ａ）に示すように、潜像印刷物（１´）のＡ´側にある光源（９ａ´）から光が入射し、潜像印刷物（１´）から生じる正反射光を観察者（１０ａ´）が観察した場合、黄緑色に見える印刷画像（３´）の中に、銀色の縦縞と、第一の有意情報である「ＮＰＢ」の文字を赤色で視認することができる。なお、「ＮＰＢ」の文字は、銀色の縦縞の下にあるように見える。また、図１１（ｂ）に示すように、潜像印刷物（１´）の直上に光源（９ｂ´）が移動し、潜像印刷物（１´）から生じる正反射光を観察者（１０ｂ´）が観察した場合、極めて狭い観察角度の範囲ではあるが、第一の有意情報である「ＮＰＢ」の文字が消失し、印刷画像（３´）が緑色と赤色の中間色である黄色となり、その中に銀色の縦縞が視認される。続いて、図１１（ｃ）に示すように、潜像印刷物（１´）のＡ側に光源（９ｃ´）が移動し、潜像印刷物（１´）から生じる正反射光を観察者（１０ｃ´）が観察した場合、赤色に見える印刷画像（３´）の中に、銀色の縦縞と第一の有意情報である「ＮＰＢ」の文字を黄緑色で視認することができる。なお、出現する銀色の縦縞は、傾けて観察することで「ＮＰＢ」の文字のように色彩が反転したり消失したりしないが、角度が変わるごとに、印刷画像（３´）中で第一の方向（Ｓ１）に位相を変えるため、銀色の縦縞が動いているように見える。この第二の実施の形態における潜像印刷物（１´）においては、印刷画像（３´）の中で、「ＮＰＢ」の文字と背景の色相が反転し、かつ、異なる色彩の縦縞が動いて見える効果が同時に生じるため、観察者には一見、印刷画像（３´）の中に出現した「ＮＰＢ」の文字と、その背景において緑色と赤色と銀色及びそれぞれの中間色を含む、極めて複雑な色変化が生じているように見える。
【００５４】
本明細書における効果の図は、効果を把握しやすいように潜像印刷物（１´）と光源（９´）の角度をデフォルメして記載しているが、実際の図１１（ａ）から図１１（ｃ）の角度の差は大きくとも１０度以下であり、実際には、ある光源（９´）から入射する光に対して、潜像印刷物（１´）の角度をわずかに変えるだけで、上記の図１１（ａ）から図１１（ｃ）までの効果が生じる。以上のように、正反射光下で印刷画像（３´）を観察した場合には、拡散反射光下では不可視だった第一の有意情報が出現し、かつ、正反射光下のわずかな観察角度の変化で動く縦縞が出現するとともに、「ＮＰＢ」の文字と背景の色相が反転して観察される。
【００５５】
以上のように、凸画線群（４´）の上に、潜像合成画像（５´）と第三の色彩を有する修飾画線群（１１´）を重ねることで、より複雑な色彩変化を実現することができる。第二の実施の形態において出現した動く縦縞模様とは、蒲鉾状の画線（７´）と修飾画線（１２´）が干渉して生じる干渉縞（モアレ）であり、第一のピッチＰ１と第三のピッチＰ３の大きさの差を調整することで、出現する縦縞の本数や動きの速さ制御が可能である。縦縞の本数を少なく、かつ、動きを早くしたい場合には、Ｐ１とＰ２の差を小さくし、縦縞の本数を多く、かつ、動きを遅くしたい場合にはＰ１とＰ２の差を大きくすればよい。より複雑なモアレ模様を用いて画像を形成して制御する具体的な構成は、再公表特許ＷＯ２００９−１３９３９６号公報に記載の構成を用いればよい。
【００５６】
修飾画線（１２´）は、正反射光下で第三の色彩として視認される必要がある。第二の実施の形態においては、第一の色彩、第二の色彩及び第三の色彩の三色が必要であり、それぞれの色彩は少なくとも色相が異なっている必要があり、第一の色彩、第二の色彩及び第三の色彩のそれぞれの色彩が違うほど、生じる色彩変化は大きくなる。
【００５７】
修飾画線（１２´）に盛り上がり高さは必要なく、第一の潜像ポジ画線（８Ｐ´）や第一の潜像ネガ画線（８Ｎ´）と同様に、オフセット印刷、凸版印刷、フレキソ印刷、グラビア印刷、凹版印刷及びスクリ−ン印刷等で形成してもよい。この条件を満たすインキは、物体色を有する一般的な着色インキ及びメタリックインキ等、あらゆるインキまでが含まれるため、色彩選択の自由度は極めて高い。なお、修飾画線（１２´）には、第一の潜像ポジ画線（８Ｐ´）や第一の潜像ネガ画線（８Ｎ´）と同様に、明暗フリップフロップ性やカラーフリップフロップ性は必須ではないが、これらの性質を備えていた場合の方が生じさせる色彩変化の幅は広くなる。
【００５８】
（第三の実施の形態）
第三の実施の形態は、正反射光下で印刷画像（３´´）を観察する角度に応じて、第一の有意情報から第ｎの有意情報（ｎは２以上の自然数）を視認することができる潜像印刷物（１´´）である。ここでは、例として、第一の有意情報だけでなく、第二の有意情報が視認される潜像印刷物（１´´）の構成について説明する。
【００５９】
図１２に、本発明における潜像印刷物（１´´）を示す。図１２（ａ）に示すのは、潜像印刷物（１´´）の正面図であり、図１２（ｂ）に示すのは、潜像印刷物（１´´）のＡＡ´ラインにおける断面図である。潜像印刷物（１´´）は、基材（２´´）の上に、印刷画像（３´´）が形成されてなる。基材（２´´）は、第一の実施の形態と同様に、印刷画像（３´´）を形成することができれば、紙であっても、プラスティックであっても、金属等であってもよく、その材質、色彩及び大きさは問わない。また、図１２（ａ）の印刷画像（３´´）中には、「ＮＰＢ」の文字と「桜」の図柄を視認することができるが、説明の便宜上、可視化させているのであって、実際に作製した潜像印刷物（１´´）は、拡散反射光下で「ＮＰＢ」の文字と「桜」の図柄は不可視である。
【００６０】
本発明の印刷画像（３´´）の構成の概要を図１３に示す。印刷画像（３´´）は、凸画線群（４´´）の上に、潜像合成画像（５´´）が重ね合さってなる。潜像合成画像（５´´）は、第一の有意情報を含んだ第一の潜像画像（５ａ´´）及び第二の有意情報を含んだ第二の潜像画像（５ｂ´´）から成る。第一の潜像画像（５ａ´´）は、第一の有意情報をポジで表した第一の潜像ポジ画像（６Ｐａ´´）と、第一の有意情報をネガで表した第一の潜像ネガ画像（６Ｎａ´´）とから成り、第二の潜像画像（５ｂ´´）は、第二の有意情報をポジで表した第二の潜像ポジ画像（６Ｐｂ´´）と、第二の有意情報をネガで表した第二の潜像ネガ画像（６Ｎｂ´´）とから成る。なお、第三の実施の形態における第一の有意情報とは、アルファベットの「ＮＰＢ」の文字であり、第二の有意情報とは、「桜」のマークの例で説明する。
【００６１】
凸画線群（４´´）の構成は、第一の実施の形態の説明において、図３に示した構造や要求される性能が同一であることから、説明を省略する。図１４に第一の潜像画像（５ａ´´）の構成を示す。第一の潜像画像（５ａ´´）は、第一の潜像ポジ画像（６Ｐａ´´）と第一の潜像ネガ画像（６Ｎａ´´）から成る。第一の潜像ポジ画像（６Ｐａ´´）は、画線幅Ｗ２の第一の潜像ポジ画線（８Ｐａ´´）が第二のピッチＰ２で第二の方向（図中Ｓ２方向）に複数配置されてなり、第一の潜像ネガ画像（６Ｎａ´´）は、画線幅Ｗ２の第一の潜像ネガ画線（８Ｎａ´´）が第二のピッチＰ２で第二の方向（図中Ｓ２方向）に複数配置されてなる。第一の潜像ポジ画線（８Ｐａ´´）と第一の潜像ネガ画線（８Ｎａ´´）とは、同じ画線幅で、かつ、同じピッチＰ２で構成される必要があり、加えて、第一の潜像ポジ画線（８Ｐａ´´）と第一の潜像ネガ画線（８Ｎａ´´）とは、第二の方向に位相がずれている必要がある。
【００６２】
図１５に第二の潜像画像（５ｂ´´）の構成を示す。第二の潜像画像（５ｂ´´）は、第二の潜像ポジ画像（６Ｐｂ´´）と第二の潜像ネガ画像（６Ｎｂ´´）から成る。第二の潜像ポジ画像（６Ｐｂ´´）は、画線幅Ｗ４の第二の潜像ポジ画線（８Ｐｂ´´）が第二のピッチＰ２で第二の方向（図中Ｓ２方向）に複数配置されてなり、第二の潜像ネガ画像（６Ｎｂ´´）は、画線幅Ｗ４の第二の潜像ネガ画線（８Ｎｂ´´）が第二のピッチＰ２で第二の方向（図中Ｓ２方向）に複数配置されてなる。第二の潜像ポジ画線（８Ｐｂ´´）と第二の潜像ネガ画線（８Ｎｂ´´）とは、同じ画線幅で、かつ、同じピッチＰ２で構成される必要があり、加えて、第二の潜像ポジ画線（８Ｐｂ´´）と第二の潜像ネガ画線（８Ｎｂ´´）とは、第二の方向に位相がずれている必要がある。第三の実施の形態において、第一のピッチＰ１と第二のピッチＰ２の関係及び第一の方向と第二の方向の関係は、第一の実施の形態と同様である。ここでは、第一の実施の形態と同様に、第一のピッチＰ１と第２のピッチＰ２が同じ値であり、第一の方向と第二の方向が同じ方向である例について説明する。
【００６３】
図１６に潜像合成画像（５´´）を示す。潜像合成画像（５´´）は、第一の潜像ポジ画線（８Ｐａ´´）及び第一の潜像ネガ画線（８Ｎａ´´）と、第二の潜像ポジ画線（８Ｐｂ´´）及び第二の潜像ネガ画線（８Ｎｂ´´）が、互い違いに連続して配置されてなる。それぞれの画線は、互いに重なり合うことなく、第二の方向に一定のずれを有して配置されてなる。第三の実施の形態におけるそれぞれの画線の第二の方向への位相のずれの大きさは、第２のピッチＰ１の４分の１の大きさである。
【００６４】
図１７に凸画線群（４´´）と潜像合成画像（５´´）の重なり合いの位置関係の詳細を示す。凸画線群（４´´）を構成する盛り上がりを有する蒲鉾状の画線（７´´）の上に、潜像合成画像（５´´）を構成する第一の潜像ポジ画線（８Ｐａ´´）、第一の潜像ネガ画線（８Ｎａ´´）、第二の潜像ポジ画線（８Ｐｂ´´）及び第二の潜像ネガ画線（８Ｎｂ´´）の四つの画線が配置されてなる。第一の潜像ポジ画線（８Ｐａ´´）、第一の潜像ネガ画線（８Ｎａ´´）、第二の潜像ポジ画線（８Ｐｂ´´）及び第二の潜像ネガ画線（８Ｎｂ´´）の四つの画線は、全体が蒲鉾状の画線（７´´）の上に重なる必要はないが、四つの画線の各々の画線の少なくとも一部が蒲鉾状の画線（７´´）の上に重なる必要がある。第三の実施の形態において、第一の方向と第二の方向は、同じ方向であることから、蒲鉾状の画線（７´´）と、四つの画線が平行な関係となっているが、これに限定されるものではない。
【００６５】
以上の構成で形成した潜像印刷物（１´´）の効果を図１８に示す。この効果の説明では、潜像印刷物（１´´）の蒲鉾状の画線（７´´）を緑色の干渉色を発する虹彩色パール顔料を含有した透明なパールインキで形成し、第一の潜像ポジ画線（８Ｐａ´´）、第一の潜像ネガ画線（８Ｎａ´´）、第二の潜像ポジ画線（８Ｐｂ´´）及び第二の潜像ネガ画線（８Ｎｂ´´）の四つの画線を、赤色の物体色の着色インキで形成した例で説明する。印刷画像（３´´）が光を正反射しない、いわゆる、拡散反射光が支配的な観察環境で印刷画像（３´´）を観察した場合、印刷画像（３´´）中に第一の有意情報及び第二の有意情報は視認されず、潜像合成画像（５´´）を形成した着色インキの色彩である赤色で印刷画像（３´´）が視認される（図示せず）。図１８（ａ）に示すように、潜像印刷物（１´´）のＡ´側にある光源（９ａ´´）から光が入射し、潜像印刷物（１´´）から生じる正反射光を観察者（１０ａ´´）が観察した場合、赤色に見える印刷画像（３´´）の中に、第一の有意情報である「ＮＰＢ」の文字を黄緑色で視認することができる。また、図１８（ｂ）に示すように、潜像印刷物（１´´）のＡ´側から直上側に光源（９ｂ´´）がわずかに移動し、潜像印刷物（１´´）から生じる正反射光を観察者（１０ｂ´´）が観察した場合、黄緑色に見える印刷画像（３´）の中に、第一の有意情報である「ＮＰＢ」の文字を赤色で視認することができる。また、図１８（ｃ）に示すように、潜像印刷物（１´´）のＡ´側からＡ側に移動した光源（９ｃ´´）から光が入射し、潜像印刷物（１´´）から生じる正反射光を観察者（１０ｃ´´）が観察した場合、赤色に見える印刷画像（３´´）の中に、第二の有意情報である「桜」のマークを黄緑色で視認することができる。また、図１８（ｄ）に示すように、よりＡ側に光源（９ｂ´´）が移動し、潜像印刷物（１´´）から生じる正反射光を観察者（１０ｂ´´）が観察した場合、黄緑色に見える印刷画像（３´´）の中に、第二の有意情報である「桜」のマークを赤色で視認することができる。また、図１８（ａ）及び図１８（ｂ）の中間の観察角度と、図１８（ｃ）及び図１８（ｄ）の中間の観察角度において、それぞれの有意情報が一旦消失し、第一の色彩と第二の色彩の中間色である黄色で印刷画像（３）全体が視認される角度が存在する。
【００６６】
本明細書における効果の図は、効果を把握しやすいように潜像印刷物（１´´）と光源（９´）の角度をデフォルメして記載しているが、実際の図１８（ａ）から図１８（ｄ）の角度の差は、大きくとも１０度以下であり、実際には、ある光源（９´´）から入射する光に対して、潜像印刷物（１´´）の角度をわずかに変えるだけで、図１８（ａ）から図１８（ｄ）までの効果が生じる。以上のように、正反射光下で印刷画像（３´´）を観察した場合には、拡散反射光下で不可視であった第一の有意情報が出現し、かつ、正反射光下のわずかな観察角度の変化で、「ＮＰＢ」の文字と背景の色相が反転し、また、潜像印刷物（１´´）を傾ける角度を大きくすることで、第二の有意情報が出現し、かつ、正反射光下のわずかな観察角度の変化で、「桜」のマークと背景の色相が反転した状態として観察することができる。
【００６７】
以上に説明した潜像印刷物（１´´）の例では、二つの有意情報が出現する例であるが、更に三つ目の有意情報（以降、第三の有意情報という。）を出現させるためには、第一の潜像画像（５ａ´´）及び第二の潜像画像（５ｂ´´）の構成と同様に、第三の有意情報を含んだ第三の潜像画像（図示せず）を第三の潜像ポジ画線（図示せず）と第三の潜像ネガ画線（図示せず）によって形成して、第一の潜像画像（５ａ´´）、第二の潜像画像（５ｂ´´）及び第三の潜像画像から成る潜像合成画像（５´´）とし、潜像合成画像（５´´）を凸画線群（４´´）の上に形成すれば良い。正反射光下で有意情報を出現させるためには、有意情報を表す潜像ポジ画線と潜像ネガ画線が蒲鉾状の画線に重なる必要があるがことから、出現させる有意情報の数に応じて、蒲鉾状の画線、潜像ポジ画線及び潜像ネガ画線の画線幅を適宜調整する必要がある。
【００６８】
また、第三の実施の形態の潜像印刷物（１´´）を構成する凸画線群（４´´）又は潜像合成模様（５´´）の上に、第二の実施の形態で説明した修飾画線群が重なる構成としても良い。この場合の修飾画線の構成と各画線の配置については、第二の実施の形態と同様であり、修飾画線群が重なることで、正反射光下で観察したときに第一の色彩と第二の色彩で視認される有意情報の変化に、第三の色彩が加わった状態として視認することができる。
【００６９】
以下、前述の発明を実施するための形態にしたがって、具体的に作製した潜像印刷物の実施例について詳細に説明するが、本発明は、この実施例に限定されるものではない。
【実施例１】
【００７０】
図１９に潜像印刷物（１−１）を示す。図１９（ａ）に示すのは、潜像印刷物（１−１）の正面図であり、図１９（ｂ）に示すのは、潜像印刷物（１−１）のＡＡ´ラインにおける断面図である。潜像印刷物（１−１）は、基材（２−１）の上に、印刷画像（３−１）が形成されてなる。基材（２−１）は、白色コート紙（エスプリコートＦＭ  日本製紙製）を用いた。
【００７１】
本発明の印刷画像（３−１）の構成の概要を図２０に示す。印刷画像（３−１）は、凸画線群（４−１）の上に、潜像合成画像（５−１）を重ね合わせて形成した。潜像合成画像（５−１）は、第一の有意情報である「ＮＰＢ」の文字をポジで表した潜像ポジ画像（６Ｐ−１）と、第一の有意情報である「ＮＰＢ」の文字をネガで表した潜像ネガ画像（６Ｎ−１）とを有する。
【００７２】
図２１に凸画線群（４−１）を示す。凸画線群（４−１）は、表１に示した着色パールインキを用いた盛り上がりのある蒲鉾状の画線幅０．３ｍｍの画線（７−１）が０．４ｍｍピッチで第一の方向（Ｓ１方向）に複数配されてなる。表１のインキは、拡散反射光下では黒色に見えるが、正反射光下では緑色の干渉色を発する光学特性を有する。
【００７３】
【表１】
2014108576.tif 000003
【００７４】
以上のような構成の凸画線群（４−１）をＵＶ乾燥方式のスクリーン印刷で基材（２−１）上に印刷した。印刷した蒲鉾状の画線（７−１）の盛り上がりの高さは、１５μｍであった。なお、表１に記載の着色パールインキ中の虹彩色パール顔料には、特開２００１−１０６９３７号公報に記載の撥水撥油処理を施している。この処理を施すことで、蒲鉾状の画線（７−１）の画線表面にパール顔料が向きを揃えて配向するため、より高いパール効果を得ることができる。また、黒色の着色顔料をパールインキ中に配合することで、入射した光中の虹彩色パール顔料の干渉色以外の色彩の光を吸収する効果が得られるため、パールの干渉色が強調される効果が生じる。
【００７５】
図２２に潜像合成画像（５−１）を示す。潜像合成画像（５−１）は、潜像ポジ画像（６Ｐ−１）と潜像ネガ画像（６Ｎ−１）を有する。潜像ポジ画像（６Ｐ−１）は、ピッチ０．４ｍｍで第二の方向（Ｓ２方向）に連続して配置された画線幅０．２ｍｍの潜像ポジ画線（８Ｐ−１）を有し、潜像ネガ画像（６Ｎ−１）は、ピッチ０．４ｍｍで第二の方向（Ｓ２方向）に連続して配置された画線幅０．２ｍｍの潜像ネガ画線（８Ｎ−１）を有する。また、潜像ポジ画線（８Ｐ−１）と潜像ネガ画像（６Ｎ−１）は、第二の方向（Ｓ２方向）に０．２ｍｍずれてなる。図２２の潜像合成画像（５−１）を赤色の着色インキを用いて印刷した。本実施例における第一の色彩は緑色であり、第二の色彩は赤色である。
【００７６】
図２３に凸画線群（４−１）と潜像合成画像（５−１）の重なり合いの位置関係の詳細を示す。印刷画像（３−１）において、凸画線群（４−１）を構成する蒲鉾状の画線（７−１）の上に、潜像ポジ画線（８Ｐ−１）及び潜像ネガ画線（８Ｎ−１）の少なくとも一部が重なるようにオフセット印刷によって印刷した。詳細な重なりの構造としては、蒲鉾状の画線（７−１）の盛り上がりの頂点を基準にしてＡ側に潜像ネガ画線（８Ｎ−１）が重なり、蒲鉾状の画線（７−１）の盛り上がりの頂点を基準にしてＡ´側に潜像ポジ画線（８Ｐ−１）が重なる位置関係となるよう形成した。
【００７７】
以上の構成で形成した潜像印刷物（１−１）の効果を図２４に示す。拡散反射光下では印刷画像（３−１）は、単に四角く黒い画像として視認される（図示せず）だけであったが、図２４（ａ）に示すように、潜像印刷物（１−１）のＡ´側にある光源（９ａ−１）から光を入射させ、潜像印刷物（１−１）から生じる正反射光を観察したところ、黄緑色に見える印刷画像（３−１）の中に、第一の有意情報である「ＮＰＢ」の文字を赤色で視認することができた。また、図２４（ｂ）に示すように、潜像印刷物（１−１）の直上に光源（９ｂ−１）が移動し、潜像印刷物（１−１）から生じる正反射光を観察者（１０ｂ−１）が観察した場合、第一の有意情報である「ＮＰＢ」の文字が消失し、印刷画像（３−１）全体が緑色と赤色の中間色である、黄色で視認することができた。続いて、図２４（ｃ）に示すように、潜像印刷物（１−１）のＡ側に光源（９ｃ−１）が移動し、潜像印刷物（１−１）から生じる正反射光を観察者（１０ｃ−１）が観察した場合、赤色に見える印刷画像（３−１）の中に、第一の有意情報である「ＮＰＢ」の文字を黄緑色で視認することができた。  
【００７８】
以上のように、正反射光下の入射光のわずかな観察角度の変化で、本発明の潜像印刷物（１−１）において、印刷画像（３−１）中に色彩豊かな第一の有意情報が出現し、また、光源から入射する光の角度の位置が変わることで、第一の有意情報の色彩が反転する効果を確認することができた。
【符号の説明】
【００７９】
１、１´、１´´、１−１  潜像印刷物
２、２´、２´´、２−１  基材
３、３´、３´´、３−１  印刷画像
４、４´、４´´、４−１  凸画線群
５、５´、５´´、５−１  潜像合成画像
６Ｐ、６Ｐ´、６Ｐ−１  潜像ポジ画像
６Ｐａ´´  第一の潜像ポジ画像
６Ｐｂ´´  第二の潜像ポジ画像
６Ｎ、６Ｎ´、６Ｎ´´、６Ｎ−１  潜像ネガ画像
６Ｎａ´´  第一の潜像ネガ画像
６Ｎｂ´´  第二の潜像ネガ画像
７、７´、７´´、７−１  蒲鉾状の画線
８Ｐ、８Ｐ´、８Ｐａ´´、８Ｐ−１  第一の潜像ポジ画線
８Ｐｂ´´  第二の潜像ポジ画線
８Ｎ、８Ｎ´、８Ｎａ´´、８Ｎ−１  第一の潜像ネガ画線
８Ｎｂ´´  第二の潜像ネガ画線
９ａ、９ｂ、９ｃ、９ａ´、９ｂ´、９ｃ´、９ａ´´、９ｂ´´、９ｃ´´、９ｄ´´、９ａ−１、９ｂ−１、９ｃ−１  光源
１０ａ、１０ｂ、１０ｃ、１０ａ´、１０ｂ´、１０ｃ´、１０ａ´´、１０ｂ´´、１０ｃ´´、１０ｄ´´、１０ａ−１、１０ｂ−１、１０ｃ−１  観察者の視点
１１´  修飾画線群
１２´  修飾画線
【図１】
2014108576.tif 000004
【図２】
2014108576.tif 000005
【図３】
2014108576.tif 000006
【図４】
2014108576.tif 000007
【図５】
2014108576.tif 000008
【図６】
2014108576.tif 000009
【図７】
2014108576.tif 000010
【図８】
2014108576.tif 000011
【図９】
2014108576.tif 000012
【図１０】
2014108576.tif 000013
【図１１】
2014108576.tif 000014
【図１２】
2014108576.tif 000015
【図１３】
2014108576.tif 000016
【図１４】
2014108576.tif 000017
【図１５】
2014108576.tif 000018
【図１６】
2014108576.tif 000019
【図１７】
2014108576.tif 000020
【図１８】
2014108576.tif 000021
【図１９】
2014108576.tif 000022
【図２０】
2014108576.tif 000023
【図２１】
2014108576.tif 000024
【図２２】
2014108576.tif 000025
【図２３】
2014108576.tif 000026
【図２４】
2014108576.tif 000027
【手続補正書】
【提出日】平成24年12月21日(2012.12.21)
【手続補正１】
【補正対象書類名】明細書
【補正対象項目名】００６１
【補正方法】変更
【補正の内容】
【００６１】
凸画線群（４´´）の構成は、第一の実施の形態の説明において、図３に示した構造や要求される性能が同一であることから、説明を省略する。図１４に第一の潜像画像（５ａ´´）の構成を示す。第一の潜像画像（５ａ´´）は、第一の潜像ポジ画像（６Ｐａ´´）と第一の潜像ネガ画像（６Ｎａ´´）から成る。第一の潜像ポジ画像（６Ｐａ´´）は、画線幅Ｗ２の第一の潜像ポジ画線（８Ｐａ´´）が第二のピッチＰ２で第二の方向（図中Ｓ２方向）に複数配置されてなり、第一の潜像ネガ画像（６Ｎａ´´）は、画線幅Ｗ２の第一の潜像ネガ画線（８Ｎａ´´）が第二のピッチＰ２で第二の方向（図中Ｓ２方向）に複数配置されてなる。第一の潜像ポジ画線（８Ｐａ´´）と第一の潜像ネガ画線（８Ｎａ´´）とは、同じ画線幅で、かつ、同じピッチＰ２で構成される必要があり、加えて、第一の潜像ポジ画線（８Ｐａ´´）と第一の潜像ネガ画線（８Ｎａ´´）とは、第二の方向に位相がずれている必要がある。また、第１の実施の形態と同様に、第一の潜像ポジ画線（８Ｐａ´´）及び第一の潜像ネガ画線（８Ｎａ´´）は、拡散反射光下では同じ色彩であって、正反射光下では第一の色彩と異なる第二の色彩で視認される構成となっている。
【手続補正２】
【補正対象書類名】明細書
【補正対象項目名】００６２
【補正方法】変更
【補正の内容】
【００６２】
図１５に第二の潜像画像（５ｂ´´）の構成を示す。第二の潜像画像（５ｂ´´）は、第二の潜像ポジ画像（６Ｐｂ´´）と第二の潜像ネガ画像（６Ｎｂ´´）から成る。第二の潜像ポジ画像（６Ｐｂ´´）は、画線幅Ｗ４の第二の潜像ポジ画線（８Ｐｂ´´）が第二のピッチＰ２で第二の方向（図中Ｓ２方向）に複数配置されてなり、第二の潜像ネガ画像（６Ｎｂ´´）は、画線幅Ｗ４の第二の潜像ネガ画線（８Ｎｂ´´）が第二のピッチＰ２で第二の方向（図中Ｓ２方向）に複数配置されてなる。第二の潜像ポジ画線（８Ｐｂ´´）と第二の潜像ネガ画線（８Ｎｂ´´）とは、同じ画線幅で、かつ、同じピッチＰ２で構成される必要があり、加えて、第二の潜像ポジ画線（８Ｐｂ´´）と第二の潜像ネガ画線（８Ｎｂ´´）とは、第二の方向に位相がずれている必要がある。また、第二の潜像ポジ画線（８Ｐｂ´´）及び第二の潜像ネガ画線（８Ｎｂ´´）は、拡散反射光下では同じ色彩であって、正反射光下では第一の色彩と異なる第二の色彩で視認される構成となっており、第二の潜像ポジ画線（８Ｐｂ´´）及び第二の潜像ネガ画線（８Ｎｂ´´）は、一般的な着色インキで形成することができる。第三の実施の形態において、第一のピッチＰ１と第二のピッチＰ２の関係及び第一の方向と第二の方向の関係は、第一の実施の形態と同様である。ここでは、第一の実施の形態と同様に、第一のピッチＰ１と第２のピッチＰ２が同じ値であり、第一の方向と第二の方向が同じ方向である例について説明する。
【手続補正３】
【補正対象書類名】明細書
【補正対象項目名】００６７
【補正方法】変更
【補正の内容】
【００６７】
以上に説明した潜像印刷物（１´´）の例では、第一の潜像ポジ画線（８Ｐａ´´）、第一の潜像ネガ画線（８Ｎａ´´）、第二の潜像ポジ画線（８Ｐｂ´´）及び第二の潜像ネガ画線（８Ｎｂ´´）を、赤色の物体色の着色インキで形成した例であるが、第一の潜像ポジ画線（８Ｐａ´´）及び第一の潜像ネガ画線（８Ｎａ´´）の色彩と、第二の潜像ポジ画線（８Ｐｂ´´）及び第二の潜像ネガ画線（８Ｎｂ´´）の色彩を、正反射光下で第一の色彩と異なる色彩として形成することができれば互いに異なる色彩であっても良い。例えば、第一の潜像ポジ画線（８Ｐａ´´）と第一の潜像ネガ画線（８Ｎａ´´）を赤色の着色インキで形成し、第二の潜像ポジ画線（８Ｐｂ´´）と第二の潜像ネガ画線（８Ｎｂ´´）を青色の着色インキで形成しても良い。このとき、観察位置による正反射光を観察した場合に、第一の有意情報である「ＮＰＢ」は、赤色を伴って視認され、第二の有意情報である「桜」のマークは、青色を伴って視認される。このような構成とすることによって、観察位置によって視認することができる第一の有意情報と第二の有意情報の複雑な色彩表現が可能となる。また、第３の実施の形態の潜像印刷物（１´´）は、二つの有意情報が出現する例であるが、更に三つ目の有意情報（以降、第三の有意情報という。）を出現させるためには、第一の潜像画像（５ａ´´）及び第二の潜像画像（５ｂ´´）の構成と同様に、第三の有意情報を含んだ第三の潜像画像（図示せず）を第三の潜像ポジ画線（図示せず）と第三の潜像ネガ画線（図示せず）によって形成して、第一の潜像画像（５ａ´´）、第二の潜像画像（５ｂ´´）及び第三の潜像画像から成る潜像合成画像（５´´）とし、潜像合成画像（５´´）を凸画線群（４´´）の上に形成すれば良い。正反射光下で有意情報を出現させるためには、有意情報を表す潜像ポジ画線と潜像ネガ画線が蒲鉾状の画線に重なる必要があるがことから、出現させる有意情報の数に応じて、蒲鉾状の画線、潜像ポジ画線及び潜像ネガ画線の画線幅を適宜調整する必要がある。